(57)【要約】【課題】平板が水平方向に移動するのを規制して、陳列した商品が崩れたりするのを防止する。【解決手段】同一高さの商品Ｇを複数載置可能なベース板２の上面適所に、少なくとも一側面に上下方向に連続する開口部６ａを有するとともに、その奥部に、開口部６ａの幅よりも広幅の係合凹溝５を備える支柱３を立設し、係合凹溝５に、平板４の側端に突設した係合片９ｂを、上下に移動可能に係合し、かつ該平板４を、ベース板２上の商品群の上面に載置することにより、その上面を商品Ｇの陳列面とする。【選択図】        図１
2004267552.tif 000002
【特許請求の範囲】
【請求項１】
同一高さの商品を複数載置可能なベース板の上面適所に、少なくとも一側面に上下方向に連続する開口部を有するとともに、その奥部に、開口部の幅よりも広幅の係合部を備える支柱を立設し、前記係合部に、平板の側端に突設した係合片を、上下に移動可能に係合し、かつ該平板を、前記ベース板上の商品群の上面に載置することにより、その上面を商品の陳列面としたことを特徴とする商品陳列什器。
【請求項２】
支柱を、前後左右に並ぶ４本の垂直の支持杆よりなるものととし、互いに隣接する支持杆の対向面を開口部とするとともに、前記両支持杆の奥部の空間を係合部としてなる請求項１記載の商品陳列什器。
【請求項３】
４本の支持杆を、前後左右に等間隔に並べた請求項２記載の商品陳列什器。
【請求項４】
４本の支持杆の上端を、連結部材により互いに連結してなる請求項２または３記載の商品陳列什器。
【請求項５】
支柱を多角形断面とし、それらの各側面に、開口部と係合部とを設けてなる請求項１記載の商品陳列什器。
【請求項６】
平板の係合片を、上下いずれか一方に折曲させてなる請求項１〜５のいずれかに記載の商品陳列什器。
【請求項７】
係合片を、平板における２辺が交差する角部に設けてなる請求項２〜６のいずれかに記載の商品陳列什器。
【発明の詳細な説明】
【０００１】
【発明の属する技術分野】
本発明は、下位の商品群を支持台代わりとして、その上に平板を載置し、この平板上に商品を陳列するようにした商品陳列什器に関する。
【０００２】
【従来の技術】
店舗等において、上下寸法が等しい同一商品を床面に島状に陳列するのに、図１２に示すように、ベース板（３０）の上面に同一商品（Ｇ）を多数並べて載置したのち、その商品群を支持台代わりとして、透明な平板（３１）を載せ、その上面に同一商品（Ｇ）を多数並べて載置し、その商品群にさらに別の平板（３１）を載せ、その上に、同一商品（Ｇ）を載置するという態様を繰り返すことにより、所要の高さまで積み重ねて陳列する方法がある。
【０００３】
【発明が解決しようとする課題】
上述した従来のように、平板を単に下位の商品群の上面に載置し、それに多数の商品を載置しただけでは、客が不用意に平板を水平方向に押動したり、平板の下方の商品を無理に抜き取るなどした際に、平板が位置ずれし、商品が崩れる恐れがある。
【０００４】
本発明は、上記問題に鑑みてなされたもので、平板が水平方向に移動するのを規制して、陳列した商品が崩れたりするのを防止しうるようにした、商品陳列什器を提供することを目的としている。
【０００５】
【課題を解決するための手段】
本発明によると、上記課題は、次のようにして解決される。
（１）  同一高さの商品を複数載置可能なベース板の上面適所に、少なくとも一側面に上下方向に連続する開口部を有するとともに、その奥部に、開口部の幅よりも広幅の係合部を備える支柱を立設し、前記係合部に、平板の側端に突設した係合片を、上下に移動可能に係合し、かつ該平板を、前記ベース板上の商品群の上面に載置することにより、その上面を商品の陳列面とする。
【０００６】
（２）  上記（１）項において、支柱を、前後左右に並ぶ４本の垂直の支持杆よりなるものととし、互いに隣接する支持杆の対向面を開口部とするとともに、前記両支持杆の奥部の空間を係合部とする。
【０００７】
（３）  上記（２）項において、４本の支持杆を、前後左右に等間隔に並べる。
【０００８】
（４）  上記（２）または（３）項において、４本の支持杆の上端を、連結部材により互いに連結する。
【０００９】
（５）  上記（１）項において、支柱を多角形断面とし、それらの各側面に、開口部と係合部とを設ける。
【００１０】
（６）  上記（５）項において、平板の係合片を、上下いずれか一方に折曲させる。
【００１１】
（７）  上記（２）〜（６）項のいずれかにおいて、係合片を、平板における２辺が交差する角部に設ける。
【００１２】
【発明の実施の形態】
以下、本発明の実施形態を、図面に基づいて説明する。
図１及び図２は、本発明の第１の実施形態を示すもので、商品陳列什器（１）は、平面視ほぼ長円形をなすベース板（２）と、その中央に立設された支柱（３）と、この支柱（３）の左右両側面に係止される上下複数段の半楕円状の平板（４）とを備えている。
【００１３】
支柱（３）は、平面視外向きコ字状をなし、かつ前後の遊端部を内方に向かってＬ字状に折曲することにより、奥部に上下方向を向く幅広の係合部、すなわち係合凹溝（５）が形成された左右１対のチャンネル材（６）（６）を、背中合わせに結合したものよりなり、上端部には、キャップ（７）が止着されている。
【００１４】
各平板（４）は、例えば透明な合成樹脂材により形成され、各段の左右の平板（４）（４）の対向端を突合わせた際の平面形状は、ベース板（２）とほぼ同形の長円形をなしている。
【００１５】
各平板（４）の対向端の中央部には、各チャンネル材（６）に左右両側方より余裕をもって遊嵌される切欠溝（８）が形成され、その中央には、チャンネル材（６）の側端部の狭幅をなす開口部（６ａ）に挿通しうるガイド片（９ａ）と、係合凹溝（５）に上下に移動可能に嵌合される前後寸法の大きい係合片（９ｂ）とからなる突片（９）が、一体的に連設されている。
【００１６】
平板（４）を支柱（３）に取付けるには、図１に２点鎖線で示すように、チャンネル材（６）の側方において、平板（４）全体を前後いずれか一方に傾斜させ、その係合片（９ｂ）を斜めにした状態で、チャンネル材（６）の係合凹溝（５）内に挿入したのち、平板（４）を水平とする。
【００１７】
これにより、係合片（９ｂ）が係合凹溝（５）内において水平となることにより、抜け止めされ、かつ左右の平板（４）は、支柱（３）に、前後左右の水平方向に移動するのが規制されて取付けられる（図２参照）。
【００１８】
なお、各平板（４）は、キャップ（７）を取外して、支柱（３）の上端より、両チャンネル材（６）の係合凹溝（５）内に係合して取付けることもできる。
【００１９】
商品を陳列する際には、例えばシャンプやリンス、ペットボトル等、上下寸法の等しい同一商品（Ｇ）を、まずベース板（２）上に多数並べて陳列し、それらの商品群の上面に、最下段の左右の平板（４）を、支柱（３）に上述の要領で取付けることにより載置する
【００２０】
次いで、最下段の平板（４）の上面を陳列面として、上記と同様、上下寸法の等しい商品（Ｇ）を多数並べて陳列し、その商品群の上面に、第２段目の平板（４）を、上記と同じ要領で載置したのち、その上面を陳列面として、さらに同一の商品（Ｇ）を多数並べて陳列する。
【００２１】
この作業を交互に繰り返すことにより、商品（Ｇ）を所要高さまで積み重ねて陳列することができる。
【００２２】
陳列後において、各平板（４）は、支柱（３）により水平方向に移動するのが規制されているので、客が不用意に平板（４）を押動したり、平板（４）の下方の商品（Ｇ）を無理に抜き取るなどしても、平板（４）が位置ずれして、商品（Ｇ）が崩れたりする恐れはない。
【００２３】
なお、上記実施形態において、ベース板（２）の下面の四隅部にキャスタを取付けてもよく、このようにすれば、商品陳列什器（１）を、商品（Ｇ）を陳列した状態のまま、容易に移動できる。
【００２４】
左右の平板（４）を段違いに取付けて、左半部と右半部とに、高さの異なる商品を陳列することもできる。
【００２５】
図３及び図４は、本発明の第２の実施形態を示す。
【００２６】
この実施形態の支柱（１０）は、上記と同様のベース板（２）の中央に、垂直をなす４本のパイプ状支持杆（１１）を、前後左右に等間隔に並べて立設したものよりなり、各支持杆（１１）の上端には、連結部材であるキャップ（１２）が止着されている。
【００２７】
上記と同様の半楕円状をなす透明な平板（１３）の対向端の中央部には、前後１対の支持杆（１１）に、左右両側方より余裕をもって遊嵌される切欠溝（１４）が形成され、かつその中央には、前後に隣接する支持杆（１１）（１１）の対向面間の開口部においてそれらの外周端に上下に摺動可能に嵌合されるとともに、側端部に、前後寸法が前後の支持杆（１１）の対向面間の前後寸法より大とした係合片（１５ａ）を有する突片（１５）が、一体的に連設されている。
【００２８】
平板（１３）を支柱（１０）に取付けるには、図３に２点鎖線で示すように、平板（１３）を、前述と同様に前後いずれか一方に傾斜させ、係合片（１５ａ）を斜めにした状態で、前後の支持杆（１１）間に挿入したのち、平板（１３）を水平とすればよい。
【００２９】
これにより、図４に示すように、係合片（１５ａ）が、前後に対向する支持杆（１１）の開口部より奥部の空間、すなわち係合部に係合することにより、平板（１３）は、水平方向への移動が規制されて支柱（１０）に取付けられる。
【００３０】
商品の陳列形態については、図１と同じ要領で行われるため、図示を省略する。
【００３１】
この実施形態においても、上記第１の実施形態と同様の作用効果を奏することができる。
【００３２】
なお、第２の実施形態のように、４本の支持杆（１１）を前後左右に等間隔に並べた支柱（１０）を用いると、平板（１３）を、左右に並ぶ支持杆（１１）間にも取付けることができる。
【００３３】
図５及び図６は、本発明の第３の実施形態を示すもので、平面視方形をなすベース板（１６）の上面中央に、上述と同様の支柱（１０）を、各支持杆（１１）がベース板（１６）の対角線方向に等間隔に並ぶように立設し、対角線方向に並ぶ支持杆（１１）（１１）間に、平面視方形をなす平板（１７）を、その２辺が交差する角部に突設した上述と同様の係合片（１８）を挿入して係止させるとともに、対角線方向に対向する平板（１７）の係止位置を上下方向にずらして取付けてある。
【００３４】
このような実施形態とすると、支柱（１０）の周囲に、広い陳列面積が形成されるので、各平板（１７）上に陳列される商品の量を増加することができる。また、４個の平板（１７）は、その上下位置を個別に変えうるので、高さの異なる商品群を４個に分けて陳列することもできる。
【００３５】
なお、図７に示すように、上記各平板（１７）の係合片（１８）の先端部の幅を小さくするとともに、各支持杆（１１）の外周面に係合される弧状溝（１８ａ）を若干浅目にすれば、４枚の平板（１７）の係合片（１８）同士が干渉するのが防止されるので、各平板（１７）を、支柱（１０）に同一高さとなるように取付けることができ、その周囲に平面をなす広い陳列面を形成することができる。
【００３６】
上記平板（１７）は扇状又は直角三角形等としてもよく、それらの２辺が交差する角部に、上記のような係合片（１８）を設けることにより、支柱（１０）の周囲に、平面視円形等の陳列面を形成することができる。
【００３７】
なお、図７のような平板（１７）を、図３及び図４に示す支柱（１０）の周囲にも取付けうるのは勿論である。
【００３８】
図８は、本発明の第４の実施形態における支柱の横断面図と、それに取付けられる平板の一部を示す。
この実施形態の支柱（１９）は、四面が開口された角柱状をなすように、アルミニウム合金等の押し出しにより形成され、中心に、垂直の筒状コア（１９ａ）を有するとともに、その外周面に、互いに９０°の間隔をもって放射方向に延出する４個の等寸をなす垂直片（１９ｂ）を備えている。
【００３９】
各垂直片（１９ｂ）の先端縁には、２個ずつの短寸の係止片（１９ｃ）（１９ｃ）が、直角をなして、かつ隣接する係止片（１９ｃ）同士が互いに対向するように連設されている。
【００４０】
方形又は扇状をなす平板（２０）の２辺が交差する角部には、対向する係止片（１９ｃ）間を挿通して、互いに隣接する垂直片（１９ｂ）間の係合部、すなわち係合凹溝（２１）内に上下に移動可能に係合される係合片（２０ａ）が形成されている。なお、各平板（２０）を支柱（１９）に取付ける際は、上述と同様に傾斜させて取付けることができる。
【００４１】
このような支柱（１９）を用いると、４枚の平板（２０）を同一の高さに並べて取付けることができ、支柱（１９）の周囲に同一平面をなす広い陳列面を形成しうる利点がある。
【００４２】
図９は、本発明の第５の実施形態を示すもので、上記第４の実施形態と異なるのは、支柱の構造のみである。
【００４３】
この実施形態の支柱（２２）も、四面が開口された角柱状をなし、中心部に互いに結合された４個の筒状コア（２２ａ）を有するとともに、各コア（２２ａ）の外周面より放射方向に延出する垂直片（２２ｂ）の先端に、上述と同様の２個ずつの係止片（２２ｃ）（２２ｃ）に連設してある。
【００４４】
上述と同様、平板（２０）の係合片（２０ａ）は、互いに隣接する係止片（２２ｃ）間の係合凹溝（２１）内に係合して取付けられている。
第５の実施形態においても、上記第４の実施形態と同様の作用効果を奏する。
【００４５】
図１０は、本発明の第６の実施形態を示す。
支柱（２３）は、アルミニウム合金等を押し出しすることにより、平面視ほぼ方形断面をなす角筒状に形成され、各コーナー部に連設された対角線方向を向く突条部（２３ａ）の先端には、短寸の直角をなす２個ずつの係止片（２３ｂ）（２３ｂ）が、隣接する係止片（２３ｂ）同士が互いに対向するように、一体形成されている。
【００４６】
支柱（２３）の４面と、その前方において互いに対向する１対の係止片（２３ｂ）との間には、奥部が両係止片（２３ｂ）間の開口部の寸法より広幅をなすとともに、係合部、すなわち係合凹溝（２４）が形成されている。
【００４７】
図１１は、上記支柱（２３）の４面に取付けられるほぼ方形の平板（２５）で、その２辺が交差する角部は、支柱（２３）の一面の最大幅とほぼ等しい寸法だけ斜め４５°に切欠かれ、この切欠部の中央には、支柱（２３）の各面における両係止片（２３ｂ）間を挿通して、内部の係合凹溝（２４）内に上下に移動可能に係合しうる係合片（２５ａ）が、上向きに突設されている。
【００４８】
第６の実施形態においても、支柱（２３）の４面に、平板（２５）を同一高さに整合させて取付けうるので、支柱（２３）の周囲に、同一平面をなす広い陳列面を形成することができる。
【００４９】
また、平板（２５）の係合片（２５ａ）は、上方を向き、支柱（２３）の外面と近接又は当接しているため、支柱（２３）に対し、上下方向のぐら付きが小さくなる。
【００５０】
なお、上記係合片（２５ａ）は下向きでもよい。
また、上記のような上下方向を向く係合片（２５ａ）は、上記全ての実施形態の平板にも適用することができる。
【００５１】
本発明は、上記実施形態に限定されるものではない。
第２及び第３の実施形態において、支柱（１０）を形成している支持杆（１１）は、角柱又はその他の形状でもよく、また４本の支持杆（１１）の間隔は、ベース板（２）や平板（１３）の形状や向きに応じて適宜に設定してもよい。
【００５２】
また、支持杆（１１）は２本とすることもある。
図８、図９及び図１０に示す実施形態において、支柱（１９）（２２）（２３）は、三角形断面または方形以上の多角形断面とすることもある。
【００５３】
【発明の効果】
請求項１記載の発明によれば、平板は、その側端の係合片が支柱の係合部に係合され、水平方向に移動するのが規制されているので、平板が不用意に押動されたり、その下方のベース板上の商品を無理に抜き取るなどしても、平板又はベース板に陳列した商品が崩れたりすることはない。
また、平板を傾斜させ、係合片を斜めにすれば、支柱の係合部に、側方より容易に係脱することができる。
【００５４】
請求項２記載の発明によれば、単に４本の支持杆を前後左右に並べて立設するだけで、支柱を形成しうるとともに、開口部及び係合部を別途設けることなく、それらを隣接する支持杆のみで形成することができる。
また、互いに隣接する支持杆により、支柱の周囲に、４枚の平板を取付けることができる。
【００５５】
請求項３記載の発明によれば、隣接する支持杆の対向面の離間寸法が一定となるので、係合片の形状も一定となり、１種類の平板を制作するのみでよい。
【００５６】
請求項４記載の発明によれば、各支持杆のぐら付きが防止される。
【００５７】
請求項５記載の発明によれば、支柱の周面に複数の平板を取付けることができ、商品の陳列面が大となる。
【００５８】
請求項６記載の発明によれば、平板の上下方向のぐら付きを抑えることができる。
【００５９】
請求項７記載の発明によれば、支柱の周囲に、同一平面をなす広い陳列面を形成することができる。
【図面の簡単な説明】
【図１】本発明の第１の実施形態を示す斜視図である。
【図２】同じく、図１の拡大横断平面図である。
【図３】本発明の第２の実施形態を示す斜視図である。
【図４】図３の拡大横断平面図である。
【図５】本発明の第３の実施形態を示す横断平面図である。
【図６】図５の一部の正面図である。
【図７】図５の平板の変形例と、支柱への取付例を示す平面図である。
【図８】本発明の第４の実施形態の一部を横断して示す平面図である。
【図９】本発明の第５の実施形態の一部を横断して示す平面図である。
【図１０】本発明の第６の実施形態の一部を横断して示す平面図である。
【図１１】第６の実施形態に用いる平板の斜視図である。
【図１２】従来の商品陳列什器の斜視図である。
【符号の説明】
（１）商品陳列什器
（２）ベース板
（３）支柱
（４）平板
（５）係合凹溝（係合部）
（６）チャンネル材
（６ａ）開口部
（７）キャップ
（８）切欠溝
（９）突片
（９ａ）ガイド片
（９ｂ）係合片
（１０）支柱
（１１）支持杆
（１２）キャップ（連結部材）
（１３）平板
（１４）切欠溝
（１５）突片
（１５ａ）係合片
（１６）ベース板
（１７）平板
（１８）係合片
（１８ａ）弧状溝
（１９）支柱
（１９ａ）筒状コア
（１９ｂ）垂直片
（１９ｃ）係止片
（２０））平板
（２１）係合凹溝（係合部）
（２２）支柱
（２２ａ）筒状コア
（２２ｂ）垂直片
（２２ｃ）係止片
（２３）支柱
（２３ａ）突条部
（２３ｂ）係止片
（２４）係合凹溝（係合部）
（２５）平板
（２５ａ）係合片
（Ｇ）商品
【図１】
2004267552.tif 000003
【図２】
2004267552.tif 000004
【図３】
2004267552.tif 000005
【図４】
2004267552.tif 000006
【図５】
2004267552.tif 000007
【図６】
2004267552.tif 000008
【図７】
2004267552.tif 000009
【図８】
2004267552.tif 000010
【図９】
2004267552.tif 000011
【図１０】
2004267552.tif 000012
【図１１】
2004267552.tif 000013
【図１２】
2004267552.tif 000014